(57)【要約】【課題】ユーザーの操作性を向上することができるインタフェースを備えた端末装置、及び電子機器の提供を目的とする。【解決手段】対象機器に対して所定の処理を行なう端末装置において、前記対象機器を含む撮像画像を生成する撮像部と、前記対象機器に対して所定動作を実行させることで前記撮像画像に含まれる前記対象機器の画像を変化させて、同撮像画像内での前記対象機器の画像を特定する画像特定部と、画面に表示された前記撮像画像に含まれる前記特定された対象機器の画像を、所定の処理において前記対象機器を選択する際の操作画像として設定する操作画像設定部と、を有する。【選択図】図１
2014120889.tif 000002
【特許請求の範囲】
【請求項１】
機器に対して所定の処理を行なう端末装置において、
前記機器を含む撮像画像を生成する撮像部と、
前記機器に対して所定動作を実行させることで前記撮像画像に含まれる前記機器の画像を変化させて、同撮像画像内での前記機器の画像を特定する画像特定部と、
画面に表示された前記撮像画像に含まれる前記特定された機器の画像を、所定の処理において前記機器を選択する際の操作画像として設定する操作画像設定部と、を有する端末装置。
【請求項２】
前記操作画像設定部は、前記特定された機器の画像に対して、前記機器を示す識別情報を対応づけて、前記操作画像として設定する、請求項１に記載の端末装置。
【請求項３】
前記画像特定部は、前記機器を光学的に変化させて、同撮像画像内での前記機器の画像を特定する、請求項１又は請求項２のいずれかに記載の端末装置。
【請求項４】
前記機器との間で指向性の強い無線により通信を行う第１通信部を有し、
前記画像特定部は、前記第１通信部を用いた通信に返信した機器に対してのみ、前記画像の特定を行う、請求項１から請求項３のいずれか一項に記載の端末装置。
【請求項５】
前記撮像画像が表示される画面は、操作画像に基づいて選択を受付けるタッチパネルとしても機能する、請求項１から請求項４のいずれか一項に記載の端末装置。
【請求項６】
所定の処理を実行する機器と、前記機器を含んだ複数の機器に対して所定の処理を行なう端末装置とを備える電子機器において、
前記端末装置は、
前記機器を含む撮像画像を生成する撮像部と、
前記機器に対して所定動作を実行させることで前記撮像画像に含まれる前記機器の画像を変化させて、同撮像画像内での前記機器の画像を特定する画像特定部と、
画面に表示された前記撮像画像に含まれる前記特定された機器の画像を、所定の処理において前記機器を選択する際の操作画像として設定する操作画像設定部と、
前記機器は、前記操作画像により選択された際、所定の処理を実行する、電子機器。
【発明の詳細な説明】
【技術分野】
【０００１】
本発明は、機器に対して所定の処理を実行させる端末装置、及びこの端末装置を備える電子機器に関する。
【背景技術】
【０００２】
機器間で通信を行う手法は、有線通信、無線通信等、様々なものが知られている。例えば、特許文献１には、端末間で無線ＬＡＮを用いた通信を行うものが開示されている。
また、特許文献２、３には、無線通信として、赤外線通信と無線ＬＡＮとを併用するものが開示されている。
【先行技術文献】
【特許文献】
【０００３】
【特許文献１】特開２００５−３４７９１１号公報
【特許文献２】特開２００５−３０３９４７号公報
【特許文献３】特開２００７−２５９３８５号公報
【発明の概要】
【発明が解決しようとする課題】
【０００４】
機器間での通信形態が進歩している一方で、その機器を操作するユーザインタフェースが進歩に追いついていないのが現状であった。例えば、無線通信では、機器は１対１の関係に限定されず、１対多数の関係に成る場合もある。そのため、操作を行うユーザーがどの機器に対して処理を行なうかを直感的に把握できない場合があった。
【０００５】
本発明は、上記課題にかんがみてなされたもので、ユーザーの操作性を向上することができるインタフェースを備えた端末装置、及び電子機器の提供を目的とする。
【課題を解決するための手段】
【０００６】
上記課題を解決するために、本発明では、機器に対して所定の処理を行なう端末装置において、前記機器を含む撮像画像を生成する撮像部と、前記機器に対して所定動作を実行させることで前記撮像画像に含まれる前記機器の画像を変化させて、同撮像画像内での前記機器の画像を特定する画像特定部と、画面に表示された前記撮像画像に含まれる前記特定された機器の画像を、所定の処理において前記機器を選択する際の操作画像として設定する操作画像設定部と、を有する。
【０００７】
上記のように構成された発明では、画像特定部は、撮像部により生成される撮像画像内において機器の画像を特定する。具体的には、機器に所定の動作を実行させることで、画像を変化させる。そして、操作画像設定部は、特定された画像を、この機器を選択する際の操作画像として設定する。そのため、ユーザーは撮像画像内の画像をそのまま操作画像として使用することができる。その結果、ユーザーは、視覚を通じた直感的な操作により機器を選択、及びこの選択に準じた操作を行うことができる。
【０００８】
また、前記操作画像設定部は、前記特定された機器の画像に対して、前記機器を示す識別情報を対応づけて、前記操作画像として設定する構成としてもよい。
上記のように構成された発明では、識別情報により操作画像を設定することができ、より簡易な構成で本発明を実現することができる。
【０００９】
そして、前記画像特定部は、前記機器を光学的に変化させて、同撮像画像内での前記機器の画像を特定する構成としてもよい。
ここで、光学的変化とは、例えば、機器に備えられたＬＥＤ等の発光体を点滅させる場合や、機器が表示画面を備える場合は、この表示画面を点灯させる場合を含む。
上記のように構成された発明では、機器に備えられる既存の部位を流用して画像変化を生じさせることができる。
【００１０】
さらに、前記機器との間で指向性の強い無線により通信を行う第１通信部を有し、前記画像特定部は、前記第１通信部を用いた通信に返信した機器に対してのみ、前記画像の特定を行う、構成としてもよい。
上記のように構成された発明では、指向性の強い無線を用いることで、ユーザーがより直感的に機器の選択を行えるよう、時前に対象となる機器を絞り込むことができる。
【００１１】
また、前記撮像画像が表示される画面は、操作画像に基づいて選択を受付けるタッチパネルとしても機能する構成としてもよい。
上記のように構成された発明では、操作画像をタッチパネル（又は、タッチスクリーン）上のアイコンとして設定することができるため、よりユーザーの操作性を向上させることができる。
【００１２】
そして、本発明は、上記した端末装置に限らず、この端末装置と、この端末装置により制御される機器とを備える電子機器に対しても適用することができる。
【図面の簡単な説明】
【００１３】
【図１】本発明の電子機器１を説明するための図である。
【図２】端末装置５０の構成を説明するブロック構成図である。
【図３】メディアプレーヤー３０の構成を説明するブロック構成図である。
【図４】一例としての機器ＩＤリストＬ１、機器ＩＤ・位置リストＬ２を示す図である。
【図５】端末装置５０と機器との間での処理を説明する図である。
【図６】端末装置５０の処理を説明するフローチャートである。
【図７】端末装置５０と無線通信を行う機器の処理を説明するフローチャートである。
【図８】ステップＳ１４の処理を詳細に説明するフローチャートである。
【図９】光学的変化を検出する例を説明する図である。
【発明を実施するための形態】
【００１４】
以下、下記の順序に従って本発明の実施形態を説明する。
１．第１の実施形態：
２．その他の実施形態：
【００１５】
１．第１の実施形態：
図１は、本発明の電子機器１を説明するための図である。また、図２は、端末装置５０の構成を説明するブロック構成図である。そして、図３は、メディアプレーヤー３０の構成を説明するブロック構成図である。
【００１６】
図１に示すように、電子機器１は、表示装置１０、２０、メディアプレーヤー３０、４０と、端末装置５０を備えて構成される。この電子機器１では、端末装置５０と、各機器は無線通信を行うことができる。そして、端末装置５０のディスプレイ５５をタッチパネル（タッチスクリーンともいう。）として操作することで、各機器に制御コマンドやデータの送信を行うことができる。
【００１７】
端末装置５０は、各機器に対してリモコン装置としての機能する他、スマートメディアや、携帯電話としても機能する。図２に示すように、端末装置５０は、無線通信部５１、赤外線送信部５２、メインコントローラー５３、撮像部５４、ディスプレイ５５、メモリ５６を備える。そして、端末装置５０は、無線通信部５１や赤外線送信部５２の機能により、表示装置１０、２０、及びメディアプレーヤー３０、４０と通信を行うことができる。
【００１８】
無線通信部５１は、メインコントローラー５３に接続されている。無線通信部５１は、ＷｉＦｉ等の規格化された無線ＬＡＮ等により端末装置５０の無線通信を可能にする。一例として、無線通信部５１は、送信アンテナ、受信アンテナ、周波数合成部、ベースバンド信号処理部を備える。無線通信部５１は、制御コマンド又は所定のデータをベースバンド信号処理部により変調し、変調データを周波数合成部によりキャリア波に合成することで、このデータを送信することができる。同様に、無線通信部５１は、キャリア波に含まれるデータ等を抽出し、ベースバンド信号処理部により復調してメインコントローラー５３に出力することができる。
【００１９】
赤外線通信部（第１通信部）５２は、メインコントローラー５３に接続されている。赤外線送信部５２は、メインコントローラー５３により生成されるコマンド等を赤外線波に変換して出力する。
【００２０】
撮像部５４は、メインコントローラー５３に接続されている。撮像部５４は、例えば、ＣＣＤ（Charge Coupled Device）等を備え、撮像画像を生成する。生成された撮像画像は、メインコントローラー５３を通じて、メモリ５６に記録することもできる。
【００２１】
ディスプレイ５５は、メインコントローラー５３に接続されている。ディスプレイ５５は画像を表示する機能の他、タッチパネルとしての機能を備える。ディスプレイ５５の画像を表示する機能では、メインコントローラー５３から出力される画像を表示する。ディスプレイ５５のタッチパネルとしての機能では、ディスプレイの接触を検知し、この検知に応じた操作コマンドをメインコントローラー５３に出力する。ディスプレイ５５は、例えば、液晶ディスプレイにより実現される。また、タッチパネルとしての機能は、静電容量方式や、抵抗膜方式により実現される。
【００２２】
メインコントローラー５３は、ＣＰＵ（Central Processing Unit）、ＲＯＭ（Read Only Memory）、ＲＡＭ（Random Access Memory）を備えている。そして、メインコントローラー５３は、ＣＰＵがＲＯＭに記録されたプログラムを実行することで通信制御部６１、マルチメディア処理部６２、画像特定部６３、操作画像設定部６４、操作受信部６５として、機能する。
【００２３】
通信制御部６１は、メインコントローラー５３における通信を制御する。本実施形態では、通信制御部６１は、無線通信部５１を制御して無線通信を実行させる他、赤外線送信部５２を制御して、赤外線通信を実行させる。
【００２４】
マルチメディア処理部６２は、撮像部５４の駆動を制御する他、撮像部５４の撮像処理により得られた撮像画像の画素数をディスプレイ５５の解像度に応じて画素数変換する。
【００２５】
画像特定部６３は、撮像画像に含まれる機器の画像を、後述する方法により特定する。
操作画像設定部６４は、ディスプレイ５５をタッチパネルとして使用する際に、このディスプレイ５５に表示される操作画像を設定する。本実施形態では、特に、操作画像設定部６４は、画像特定部６３により特定された画像を操作画像として設定することができる。
操作受信部６５は、ディスプレイ５５をタッチパネルとして使用する際に、受付けた操作に基づく制御コマンドを各部に発光する。
【００２６】
メモリ５６は、メインコントローラー５３に接続されている。メモリ５６は、例えば、ＤＲＡＭ等により実現される。また、メモリ５６には、機器ＩＤリストＬ１、機器ＩＤ・位置リストＬ２、が記録されている。
【００２７】
図４は、一例としての機器ＩＤリストＬ１、機器ＩＤ・位置リストＬ２を示す図である。図４（ａ）に示すように、機器ＩＤリストＬ１には、端末装置５０が通信を行う対象となる機器と、この機器を識別する識別子（ＭＡＣアドレス）とが対応づけて記録されている。ＭＡＣアドレスは、機器を固有に識別するためのものであり、各機器は予め個別のＭＡＣアドレスが指定されている。
また、図４（ｂ）に示すように、機器ＩＤ・位置リストＬ２には、識別子（ＭＡＣアドレス）と、ディスプレイ５５に撮像画像が表示された際の各機器の位置を示す座標とが対応付けて記録される。機器ＩＤ・位置リストＬ２に記録される座標は、表示される撮像画像に応じて変化する。
【００２８】
また、端末装置５０により操作される機器として、メディアプレーヤー３０の構成を図３を用いて説明する。メディアプレーヤー３０は、例えば、ブルーレイディスク等の光メディアを再生する装置である。メディアプレーヤー３０は、記録用メモリ３１と、メディアドライブモジュール３２と、コントローラー３３と、無線通信部３４と、赤外線受光部３５と、発光部３６と、を備える。
なお、その他の機器（表示装置１０、２０、メディアプレーヤー４０）の構成は、メディアプレーヤー３０の構成を流用して用いることができるため、説明を省略する。
【００２９】
メディアドライブモジュール３２は、光ピックアップ部等を備え、メディアに記録されたデータを読み取る他、メディアにデータを書き込むことができる。また、記録用メモリ３１は、このように読み出されたデータの記録場所として機能する。
【００３０】
コントローラー３３は、メディアプレーヤー３０の駆動を統合的に制御する。
無線通信部３４は、コントローラー３３に接続されている。また、無線通信部３４は、端末装置５０の無線通信部５１と同様の機能を備える。
赤外線受光部３５は、コントローラー３３に接続されている。赤外線受光部３５は、端末装置５０から送信される赤外線信号を受光し、赤外線に含まれる信号を抽出する。
【００３１】
発光部３６は、コントローラー３３に接続されており、その駆動がコントローラー３３により制御される。発光部３６は、例えばＬＥＤランプを備え、コントローラー３３から出力される信号により同ＬＥＤランプを点滅させることができる。
【００３２】
次に、このような電子機器１において、端末装置５０を用いた制御を説明する。図５は、端末装置５０と機器との間での処理を説明する図である。図６は、端末装置５０の処理を説明するフローチャートである。また、図７は、端末装置５０と無線通信を行う機器の処理を説明するフローチャートである。ここで説明する処理は、一例として、端末装置５０がＷｉＦｉによりメディアプレーヤー３０に画像データを送信する場合を例に説明を行う。
【００３３】
図５（ａ）に示すように、ユーザーが端末装置５０を操作し、ディスプレイ５５に今から送信する画像データの候補一覧を表示させる。そして、この一覧の中から、任意の画像（図５（ａ）では、画像データＧＤ１）の選択を行う。次に、ユーザーは選択した画像を送信する機器の特定、及び選択を行う。
【００３４】
まず、図６のステップＳ１１−Ｓ１３、及び図７のステップＳ２１、Ｓ２２により、画像データＧＤ１を送信する機器の絞込みが行われる。即ち、本発明では、ユーザーの操作性を向上させることを目的として、時前に画像データを送信する機器の絞込みを行う。
【００３５】
図６のステップＳ１１では、端末装置５０は、赤外線コマンドを送信する。そのため、メインコントローラー５３の通信制御部６１は、赤外線送信部５２を制御してＭＡＣアドレスを赤外線送信する。このＭＡＣアドレスは、例えば、表示装置１０、２０、メディアプレーヤー３０、４０のＭＡＣアドレスを含む、機器ＩＤリストＬ１に記録されたすべてのＭＡＣアドレスが送信対象となる。
【００３６】
図５（ｂ）に示すように、端末装置５０から送信される赤外線は、指向性が強いため、この赤外線コマンドを受信できる範囲Ｒが限定される。範囲Ｒに属する装置（１０、２０、３０、４０）は、赤外線受光部３５により赤外線コマンドを受光し、この赤外線コマンドに含まれるＭＡＣアドレスを参照する（図７、ステップＳ２１）。そして、ステップＳ２２において、メディアプレーヤー３０は、自機を示すＭＡＣアドレスが含まれているため、無線通信部３４を制御して、端末装置５０への無線ＬＡＮを介した応答を行う。この応答により、自機のＭＡＣアドレスが返信される。
無論、自機のＭＡＣアドレスを確認した表示装置１０、２０、メディアプレーヤー４０からも、端末装置５０に対して返信が行われる。
【００３７】
図６のステップＳ１２では、端末装置５０は、無線ＬＡＮによる応答を受信する。そして、ステップＳ１３では、通信制御部６１は、応答に含まれるＭＡＣアドレスを参照し、画像データＧＤ１を受信可能な機器の特定を行う。即ち、通信制御部６１は、応答に含まれるＭＡＣアドレスと、機器ＩＤリストＬ１に記録されるＭＡＣアドレスとを比較し、両者に一致するＭＡＣアドレスに該当する機器が受信可能な機器であると判断する。以上の処理により、機器の絞込みが実施される。
【００３８】
次に、図６のステップＳ１４では、撮像画像の取得と、この撮像画像に含まれる機器の特定が行われる。図８は、ステップＳ１４の処理を詳細に説明するフローチャートである。
【００３９】
ステップＳ１４１では、ステップＳ１３により返信されたＭＡＣアドレスに該当する機器に対して、無線ＬＡＮを通じた制御コマンドが送信される。このステップで送信される制御コマンドは、対象機器の発光部３６を点滅させるものである。そのため、例えば、画像特定部６３は、返信されたＭＡＣアドレスにＬＥＤを点滅させる制御コマンドを付与し、所定の順序で通信制御部６１に発行する。そのため、端末装置５０からは、ＭＡＣアドレス及び制御コマンドが順次出力される。なお、ＭＡＣアドレス及び制御コマンドの送信タイミングは、後述するステップでユーザーが撮像画像を取得できるよう一定の間隔を空けることが望ましい。
【００４０】
そのため、図７のステップＳ２３では、送信されたＭＡＣアドレスに該当する機器は、発光部３６を点滅させる制御コマンドが自機に対して行われたものと判断する。そして、ステップＳ２４では、該当機器のコントローラー３３は、発光部３６を制御して点滅を行わせる。
【００４１】
図８のステップＳ１４２では、撮像画像を取得する。具体的には、ユーザーがディスプレイ５５を操作することで、撮像画像の取得が開始される。そのため、メインコントローラー５３のマルチメディア処理部６２は、撮像部５４を制御し、撮像画像を取得させる。この実施形態では、撮像画像は、所定期間に渡る動画像として取得される。例えば、メディアプレーヤー３０に該当するＭＡＣアドレスが送信されている場合、メディアプレーヤー３０の発光部３６の点滅が撮像される。
【００４２】
図８のステップＳ１４３では、端末装置５０は、撮像画像の変化を検出する。図９は、光学的変化を検出する例を説明する図である。図９に示す撮像画像において、ＧＩ１が表示装置１０の画像であり、ＧＩ２が表示装置２０の画像であり、ＧＩ３がメディアプレーヤー３０の画像であり、ＧＩ４がメディアプレーヤー４０の画像である。
【００４３】
まず、図９（ａ）では、画像特定部６３は、動画像を構成するフレームデータの差分を抽出する。即ち、ＭＡＣアドレスに該当する機器では、発光部３６の点滅により、フレームデータにおいて階調変化が生じている。図９（ａ）では、画像ＧＩ３に含まれる領域Ａにおいて、階調変化が生じている。そのため、画像特定部６３はこの階調変化が生じた領域を特定する。
【００４４】
ステップＳ１４４では、端末装置５０は、撮像画像における機器が存在する領域を特定する。ステップＳ１４３で検出された領域（図９（ａ）のＡ）は、発光部３６が位置する領域のみを含んでいるため、次に、画像特定部６３は、機器の画像が位置する領域を判断する。一例として、図９（ｂ）に示すように、画像特定部６３は、ステップＳ１４３で検出した領域Ａを基準として、撮像画像のエッジ検出を行い、機器の画像が位置する領域Ｂを検出する。無論、画像の位置をエッジ検出により特定することは一例であり、それ以外にも、画像の変化が特定された領域を基準として、ディスプレイ５５に表示される領域を分割するものであってもよい。
【００４５】
そして、ステップＳ１４５では、端末装置５０は、撮像画像がディスプレイ５５に表示された場合の、画像が属する座標を算出する。即ち、マルチメディア処理部６２により撮像画像の画素数変換が行われる場合は、画像特定部６３は、ステップＳ１４４で検出した画像における画素数変換後の撮像画像内での座標を算出する。
【００４６】
上記したステップＳ１４１−Ｓ１４５までの処理は、ステップＳ１３により返信された全てのＭＡＣアドレスが順次送信されるまで繰返される（ステップＳ１４６：ＮＯ）。そして、制御コマンドを送信した全ての機器に対して座標が特定された場合（ステップＳ１４６：ＹＥＳ）、図６のステップＳ１５に進む。
【００４７】
図６のステップＳ１５では、端末装置５０による操作画像の設定が行なわれる。この処理では、ステップＳ１４により特定された撮像画像内の各画像（ＧＩ１−ＧＩ４）を操作画像として設定する。具体的には、操作画像設定部６４は、機器ＩＤ・位置リストＬ２における各機器のＭＡＣアドレスに、ステップＳ１４で算出された座標を対応付けて更新を行う。そのため、ユーザーがディスプレイ５５の各画像の位置を接触した場合、この接触された座標からＭＡＣアドレスの識別を行うことが可能となる。
【００４８】
そして、図６のステップＳ１６−Ｓ１９、図７のＳ２５、Ｓ２６では、端末装置５０に対する操作に応じて、各機器に画像データＧＤ１が送信される。
【００４９】
操作受信部６５は、ディスプレイ５５に表示された撮像画像に対して、機器の画像を操作アイコンとした選択入力を受付ける（ステップＳ１６：ＹＥＳ）。そのため、ステップＳ１７では、操作受信部６５は、機器ＩＤ・位置リストＬ２を参照して接触されたディスプレイ５５の座標に対応するＭＡＣアドレスを検出する。例えば、ユーザーがディスプレイ５５に表示さえた撮像画像の内、メディアプレーヤー３０の画像（図９のＧＩ３）に触れると、操作受信部６５は、メディアプレーヤー３０に該当するＭＡＣアドレスを、通信制御部６１に送信する。
【００５０】
なお、この実施形態では、撮像画像は、撮像部５４がリアルタイムで撮像する動画として説明を行うが、これに限定されず、撮像画像としてメモリ５６に記録されたものを使用するものであってもよい。
【００５１】
ステップＳ１８では、端末装置５０は選択された機器を対象とする無線ＬＡＮの接続を行う。上記例では、通信制御部６１は、無線ＬＡＮ接続を確立する制御コマンドと、メディアプレーヤー３０のＭＡＣアドレスとを、無線通信部５１を制御して通信する。
一方、図７のステップＳ２５では、メディアプレーヤー３０は、端末装置５０からの通信に含まれる自機のＭＡＣアドレスを検出し、端末装置５０との間で無線ＬＡＮの接続を開始する。
【００５２】
図６のステップＳ１９では、端末装置５０は、画像データＧＤ１をメディアプレーヤー３０に送信する。例えば、通信制御部６１は、メモリ５６に記録された画像データＧＤ１を読み出し、この画像データＧＤ１とステップＳ１７で検出された機器のＭＡＣアドレスとを、無線通信部５１に送信させる。
【００５３】
そして、図７のステップＳ２６では、メディアプレーヤー３０は無線ＬＡＮを通じて送信された画像データＧＤ１を受信する。この状態で、メディアプレーヤー３０の他に、表示装置１０に対しても画像データＧＤ１を送信する場合、ユーザーはディスプレイ５５の表示装置１０の画像を操作することで、選択が行われる。
【００５４】
２．その他の実施形態：
画像の変化を生じさせる方法は、発光部３６による点滅に限定されない。例えば、機器がディスプレイを備える場合は、このディスプレイの点灯により変化を生じさせても良い。
また、端末装置から機器に対して行われる処理は、画像データの送信以外にも、様々なものが想定される。
【００５５】
以上説明したように、本発明では、撮像画像内の画像をそのまま操作画像として使用することができる。その結果、ユーザーは、視覚を通じた直感的な操作により機器を選択、及びこの選択に準じた操作を行うことができる。
【００５６】
なお、本発明は上記実施例に限られるものでないことは言うまでもない。
即ち、上記実施例の中で開示した相互に置換可能な部材および構成等を適宜その組み合わせを変更して適用してもよい。
また、公知技術であって上記実施例の中で開示した部材および構成等と相互に置換可能な部材および構成等を適宜置換し、またその組み合わせを変更して適用してもよい。
そして、公知技術等に基づいて当業者が上記実施例の中で開示した部材および構成等の代用として想定し得る部材および構成等と適宜置換し、またその組み合わせを変更して適用してもよい。
【符号の説明】
【００５７】
１…電子機器、１０、２０…表示装置、３０、４０…メディアプレーヤー、３１…記録用メモリ、３２…メディアドライブモジュール、３３…コントローラー、３４…無線通信部、３５…赤外線受光部、３６…発光部、５０…端末装置、５１…無線通信部、５２…赤外線送信部、５３…メインコントローラー、５４…撮像部、５５…ディスプレイ、５６…メモリ、６１…通信制御部、６２…マルチメディア処理部、６３…画像特定部、６４…操作画像設定部、６５…操作受信部
【図１】
2014120889.tif 000003
【図２】
2014120889.tif 000004
【図３】
2014120889.tif 000005
【図４】
2014120889.tif 000006
【図５】
2014120889.tif 000007
【図６】
2014120889.tif 000008
【図７】
2014120889.tif 000009
【図８】
2014120889.tif 000010
【図９】
2014120889.tif 000011